(57)【要約】  散水板を備えるシャワー装置は、散水板の散水面には、散水板を厚み方向に貫通する複数の散水孔が、互いに間隔を空けて円周状に配置されており、複数の散水孔のそれぞれにおける上流端の開口中心と下流端の開口中心とを結ぶ中心線が延びる方向は、散水面を平面視したときに、各散水孔における円周の法線方向に対する傾斜成分を含む。
2020158669.tif 000002
【特許請求の範囲】
【請求項１】
散水板を備えるシャワー装置であって、
前記散水板の散水面には、前記散水板を厚み方向に貫通する複数の散水孔が、互いに間隔を空けて円周状に配置されており、
前記複数の散水孔のそれぞれにおける上流端の開口中心と下流端の開口中心とを結ぶ中心線が延びる方向は、前記散水面を平面視したときに、各散水孔における前記円周の法線方向に対する傾斜成分を含む、シャワー装置。
【請求項２】
各散水孔の前記中心線が有する前記傾斜成分は、各散水孔における前記円周の前記法線方向に対して同じ周方向に向かう成分である、請求項１に記載のシャワー装置。
【請求項３】
前記散水面を平面視したときに、各散水孔の前記中心線が延びる方向は、各散水孔における前記円周の接線方向に一致する、請求項１又は２に記載のシャワー装置。
【請求項４】
前記散水面を平面視したときに、各散水孔の前記中心線が上流側から下流側に延びる方向は、各散水孔における前記円周の接線方向よりも前記円周の中心から遠ざかる方向を向く、請求項１又は２に記載のシャワー装置。
【請求項５】
前記散水面を平面視したときに、各散水孔の前記中心線が上流側から下流側に延びる方向は、各散水孔における前記円周の接線方向よりも前記円周の中心に近づく方向を向く、請求項１又は２に記載のシャワー装置。
【請求項６】
前記散水面を平面視したときに、各散水孔における前記中心線と前記円周の前記法線方向とが成す角度は５度以上１７５度以下である、請求項１から５のいずれか１つに記載のシャワー装置。
【請求項７】
各散水孔の前記中心線と前記散水板の前記厚み方向とが成す角度は５度以上４５度以下である、請求項１から６のいずれか１つに記載のシャワー装置。
【請求項８】
前記散水面を平面視したときに、前記複数の散水孔のうち隣り合う２つの散水孔における前記中心線同士が成す角度は０．１５度以上１７５度以下である、請求項１から７のいずれか１つに記載のシャワー装置。
【請求項９】
前記複数の散水孔は、複数の第１の散水孔であり、
前記散水面を平面視して前記第１の散水孔と同心状、かつ、円周状に互いに間隔を空けて配置された複数の第２の散水孔を前記散水板にさらに設けた、請求項１から８のいずれか１つに記載のシャワー装置。
【請求項１０】
前記散水面を平面視したときに、前記第２の散水孔のそれぞれにおける上流端の開口中心と下流端の開口中心とを結ぶ中心線が延びる方向は、前記第２の散水孔のそれぞれにおける前記円周の法線方向に対する傾斜成分を含む、請求項９に記載のシャワー装置。
【請求項１１】
前記第１の散水孔は前記第２の散水孔の外側に位置し、
前記散水面を平面視したときに、前記第１の散水孔および前記第２の散水孔における前記中心線が上流側から下流側に延びる方向は、各散水孔における前記円周の接線方向よりも前記円周の中心に近づく方向を向いており、
前記第１の散水孔の前記中心線が有する前記法線方向に対する前記傾斜成分は、前記第２の散水孔の前記中心線が有する前記法線方向に対する前記傾斜成分よりも大きい、請求項１０に記載のシャワー装置。
【請求項１２】
前記第１の散水孔の前記中心線と前記散水板の前記厚み方向とが成す角度は、前記第２の散水孔の前記中心線と前記散水板の前記厚み方向とが成す角度よりも大きい、請求項１１に記載のシャワー装置。
【請求項１３】
散水面に複数の貫通孔群を形成した散水板であって、
円周状に並んだ複数の貫通孔で構成される第１貫通孔群と、
前記第１貫通孔群よりも内側に配置され、円周状に並んだ複数の貫通孔で構成される第２貫通孔群と、を形成し、
前記第１貫通孔群および前記第２貫通孔群において、貫通孔を通過した水の吐出方向は、前記散水面を平面視したときに、前記貫通孔における前記円周の法線方向に対する傾斜成分を含む、散水板。
【請求項１４】
前記第１貫通孔群および前記第２貫通孔群において、前記吐出方向は、前記散水面を平面視したときに、前記円周の接線方向よりも前記円周の中心側に傾斜しており、前記法線方向に対する傾斜成分は、前記第１貫通孔群の方が前記第２貫通孔群よりも大きい、請求項１３に記載の散水板。
【請求項１５】
前記第１貫通孔群および前記第２貫通孔群において、前記吐出方向が前記散水板の厚み方向に対して傾斜する傾斜成分は、前記第１貫通孔群の方が前記第２貫通孔群よりも大きい、請求項１４に記載の散水板。
【発明の詳細な説明】
【技術分野】
【０００１】
本発明は、散水板およびそれを備えるシャワー装置に関する。
【背景技術】
【０００２】
従来のシャワー装置には、例えば、特許文献１に記載されているものが知られている。特許文献１に開示されるシャワー装置は、散水板を備え、散水板は、平面視で矩形状の所定の幅及び長さを有した散水面と、散水面を貫通して形成された複数の散水孔とを有する。複数の散水孔における各散水孔の散水方向は、散水面の幅方向内側から外側に向かうにしたがい幅方向の外方に向けられている。このような構成により、散水面から外側に向かって広がるように流れるシャワー吐水が行われる。
【先行技術文献】
【特許文献】
【０００３】
【特許文献１】特開２０１６−２２４３号公報
【発明の概要】
【発明が解決しようとする課題】
【０００４】
昨今では、様々なシャワー吐水の形態を実現することが求められている。特許文献１に開示されるようなシャワー吐水の形態以外にも、通常のシャワー吐水の形態とは異なる形態を実現することに関して未だ改善の余地がある。【０００５】
従って、本発明の目的は、上記問題を解決することにあって、通常のシャワー吐水の形態とは異なるシャワー吐水の形態を実現することができる散水板およびシャワー装置を提供することにある。
【課題を解決するための手段】
【０００６】
上記目的を達成するために、本発明のシャワー装置は、散水板を備えるシャワー装置であって、前記散水板の散水面には、前記散水板を厚み方向に貫通する複数の散水孔が、互いに間隔を空けて円周状に配置されており、前記複数の散水孔のそれぞれにおける上流端の開口中心と下流端の開口中心とを結ぶ中心線が延びる方向は、前記散水面を平面視したときに、各散水孔における前記円周の法線方向に対する傾斜成分を含む。【０００７】
また、本発明の散水板は、散水面に複数の貫通孔を形成した散水板であって、円周状に並んだ複数の貫通孔で構成される第１貫通孔群と、前記第１貫通孔群よりも内側に配置され、円周状に並んだ複数の貫通孔で構成される第２貫通孔群と、を形成し、前記第１貫通孔群および前記第２貫通孔群において、貫通孔を通過した水の吐出方向は、前記散水面を平面視したときに、前記貫通孔における前記円周の法線方向に対する傾斜成分を含む。
【発明の効果】
【０００８】
本発明の散水板およびシャワー装置によれば、通常のシャワー吐水の形態とは異なるシャワー吐水の形態を実現することができる。
【図面の簡単な説明】
【０００９】
【図１】実施形態１におけるシャワー装置の斜視図
【図２】実施形態１における散水板を模式的に示す平面図
【図３】図２の一部拡大図
【図４】図２のＡ−Ａ線に沿った散水孔の縦断面図
【図５】実施形態１におけるシャワー装置によるシャワー吐水の形態を示す図
【図６】比較例における散水板を模式的に示す平面図
【図７】実施形態２におけるシャワー装置の斜視図
【図８Ａ】変形例における散水孔の模式的な縦断面図
【図８Ｂ】別の変形例における散水孔の模式的な縦断面図
【図８Ｃ】更なる別の変形例における散水孔の模式的な縦断面図
【図８Ｄ】更なる別の変形例における散水孔の模式的な縦断面図
【図９】実施形態３の散水板を備えるシャワー装置の平面図
【図１０】図９のＩ部の拡大図
【図１１Ａ】図１０の第１貫通孔のＫ−Ｋ矢視図
【図１１Ｂ】図１０の第２貫通孔のＬ−Ｌ矢視図
【図１１Ｃ】図１０の第３貫通孔のＭ−Ｍ矢視図
【図１２】実施形態３の散水板による吐水形態の例を示す図
【発明を実施するための形態】
【００１０】
以下に、本発明に係る実施形態を図面に基づいて詳細に説明する。なお、この実施形態によって本発明が限定されるものではない。
【００１１】
（実施形態１）
図１は、実施形態１におけるシャワー装置２の概略斜視図である。
【００１２】
図１に示すシャワー装置２は、浴室において使用される浴室用のシャワー装置である。図１に示すシャワー装置２は特に、浴室の天井８に固定して取り付けられるオーバーヘッド型のシャワー装置である。図１に示すように、シャワー装置２は、散水板４を備える。
【００１３】
散水板４は、シャワー吐水用の板状の部材である。散水板４は散水面５を有する。散水面５は散水板４の一方側の表面であり、下方を向くように設置される。「散水面」は、「吐水面」、「流出面」などと称してもよい。
【００１４】
図１に示すように、散水面５には複数の散水孔１０が形成されている。散水孔１０は、散水板４を厚み方向に貫通する貫通孔であり、散水板４の表面（流出面）である散水面５から裏面（流入面）まで延びている。図１に示す複数の散水孔１０は円周状に配置されている。
【００１５】
実施形態１のシャワー装置２では、散水孔１０の構成について工夫を行っている。具体的には、図２〜図５を用いて説明する。
【００１６】
図２は、散水板４の模式的な平面図である。図２では、複数の散水孔１０を模式的に示し、散水孔１０の個数も簡略化している。
【００１７】
図２に示すように散水面５を平面視したときに、複数の散水孔１０は互いに間隔を空けて配置されており、仮想線である円周９に重なるように円周状に配置されている。円周９の中心１１は散水面５の中心である。
【００１８】
散水孔１０のそれぞれは、下流端の開口である下流開口１２と、上流端の開口である上流開口１４とを形成する。下流開口１２は、散水面５にて開口しており、上流開口１４は、散水面５に対向する散水板４の裏面にて開口している。散水孔１０を通過する水は、上流開口１４から下流開口１２に向かって流れる（符号２０参照）。実施形態１では、下流開口１２および上流開口１４は、略同じ半径の円形開口である。
【００１９】
図２に示すように散水面５を平面視したときに、それぞれの散水孔１０における下流開口１２と上流開口１４はオフセットして配置されている。具体的には、図３、図４を用いて説明する。
【００２０】
図３は、図２の一部拡大図であり、１つの散水孔１０を示す。図４は、図２におけるＡ−Ａ線に沿った散水孔１０の縦断面図である。
【００２１】
図３、図４に示すように、下流開口１２の中心には開口中心１６が位置し、上流開口１４の中心には開口中心１８が位置している。実施形態１では、下流開口１２の開口中心１６が円周９に重なるように設定されている。図３、図４に示すように、開口中心１６と開口中心１８が、散水板４の面方向Ｆに沿ってオフセットされることにより、下流開口１２と上流開口１４がオフセットして配置される。
【００２２】
図４に示すように、実施形態１における散水孔１０は、板状の部材を両面からエッチングすることにより形成されている。散水孔１０を形成する散水板４の内周面は、第１の湾曲部２２と第２の湾曲部２４とを有する。第１の湾曲部２２は、散水板４を散水面５からエッチングすることにより形成される。第２の湾曲部２４は、散水板４を裏面２１からエッチングすることにより形成される。
【００２３】
ここで、開口中心１６と開口中心１８を結ぶ直線を中心線２０とする。中心線２０は、散水孔１０における水の進行方向に概ね一致する。前述したように、開口中心１６と開口中心１８を散水板４の面方向Ｆにオフセットして設けているため、中心線２０は散水板４の厚み方向Ｔ（図４）に対して傾斜するように延びる。
【００２４】
図３に戻ると、散水面５を平面視したときに中心線２０が延びる方向は、円周９の法線方向Ｐに対する傾斜成分Ｐ１を有し、さらに、円周９の接線方向Ｑに対する傾斜成分Ｑ１を有する。特に法線方向Ｐに対する傾斜成分Ｐ１を有することで、通常のシャワー吐水とは異なるシャワー吐水の形態を実現することができる。具体的には、図５を用いて説明する。
【００２５】
図５は、実施形態１のシャワー装置２によるシャワー吐水の形態の例を示す図である。図５に示すように、複数の散水孔１０のそれぞれから周方向Ｒに旋回しながら下方に向かって流れるシャワーの膜が生じている。
【００２６】
実施形態１では特に、図３に示すように、円周９の法線方向Ｐに対する中心線２０の傾斜成分Ｐ１を周方向Ｒ１に向かう方向とし、図２に示すように全ての散水孔１０において同じ周方向Ｒ１に向かう傾斜成分としている。これにより、散水孔１０から吐水される水が旋回する方向を周方向Ｒ１に統一することができ、図５に示すようならせん状の流れを生じさせることができ、見栄えの良いシャワー吐水を実現することができる。なお実施形態１では、中心線２０の傾斜成分Ｐ１を周方向Ｒ１に統一する場合について説明したが、周方向Ｒ１とは逆方向の周方向Ｒ２に変更する等、適宜変更を加えてもよい。
【００２７】
中心線２０が有する傾斜成分Ｑ１に関しては、図３に示すように中心線２０が上流側から下流側に延びる方向を、円周９の接線方向Ｑよりも円周９の中心１１から遠ざかる方向を向くように設定している。また図２に示すように、全ての散水孔１０において同様の傾斜方向となるように設定している。これにより、散水孔１０から吐水される水が円周９の中心１１から離れる方向に進むように方向を統一することができ、図５に示すような下方に進むにつれて外側に広がる流れを生じさせることができる。結果的に、散水孔１０から外側に広がりつつ、周方向Ｒに旋回しながら下方に向かうらせん状の流れを生じさせることができ、見栄えの良いシャワー吐水を実現することができる。
【００２８】
図３に示す傾斜成分Ｐ１の角度は、例えば５度以上１７５度以下に設定してもよい。これにより、適度な傾斜角度の流れを生じさせることができる。
【００２９】
また、図４に示す中心線２０と鉛直方向２３とが成す角度αは、例えば５度以上４５度以下に設定してもよい。これにより、適度な傾斜角度の流れを生じさせることができる。
【００３０】
また、図２に示す複数の散水孔１０のうち隣り合う２つの散水孔１０における中心線２０同士が成す角度βは、例えば０．１５度以上１７５度以下に設定してもよい。このようにして、散水孔１０同士の間隔を適切に設けることができる。同時に、散水孔１０から吐水される水が直後に合流することを防止することができ、図５に示すようなシャワーの膜を形成することができ、見栄えの良いシャワー吐水を実現することができる。
【００３１】
次に、比較例の構成を図６に示す。図６は、比較例における散水板１００を模式的に示す平面図である。
【００３２】
図６に示すように、散水板１００の散水面１０２には複数の散水孔１０４が形成されている。複数の散水孔１０４は円周状に配置されており、散水面１０２の中心１０５を基準とする円周１０７上に配置されている。
【００３３】
散水孔１０４のそれぞれは、下流開口１０６と上流開口１０８とを形成している。下流開口１０６の開口中心１０９と上流開口１０８の開口中心１１１とを結ぶ直線を中心線１１０とする。図６に示すように、散水面１０２を平面視したときに散水孔１０４の中心線１１０は、当該散水孔１０４における円周１０７の法線方向に一致している。すなわち、平面視における中心線１１０が延びる方向は、円周１０７の法線方向に対する傾斜成分を有しない。このような構成によれば、複数の散水孔１０４から吐水される水は中心１０５から離れるように外側に広がりながらも、周方向Ｓに旋回することなく下方に進む。
【００３４】
これに対して実施形態１のシャワー装置２によれば、中心線２０が円周９の法線方向Ｐに対する傾斜成分Ｐ１を有することで、周方向Ｒへの旋回成分を生じさせることができ、通常のシャワー吐水の形態とは異なるシャワー吐水の形態を実現することができる。
【００３５】
上述したように、実施形態１のシャワー装置２は、散水板４を備えるシャワー装置であって、散水板４の散水面５には、散水板４を厚み方向Ｔに貫通する複数の散水孔１０が互いに間隔を空けて円周状に配置されている。このような構成において、複数の散水孔１０のそれぞれにおける上流端の開口中心１８と下流端の開口中心１６とを結ぶ中心線２０が延びる方向は、散水面５を平面視したときに、各散水孔１０における円周９の法線方向Ｐに対する傾斜成分Ｐ１を含む。このような構成によれば、通常のシャワー吐水の形態とは異なるシャワー吐水の形態を実現することができる。
【００３６】
（実施形態２）
本発明に係る実施形態２のシャワー装置について説明する。実施形態２では、主に実施形態１と異なる点について説明し、実施形態１と重複する記載は省略する。
【００３７】
実施形態１では、複数の散水孔１０を１つの円周状に配置していたが、実施形態２では、複数の散水孔１０に加えて別の円周状に配置した更に別の複数の散水孔を形成するという点が異なる。
【００３８】
図７は、実施形態２のシャワー装置７０の斜視図である。図７に示すシャワー装置７０は散水板７２を備え、散水板７２の散水面７４には、複数の散水孔１０のグループに加えて別の散水孔７６のグループが形成されている。複数の散水孔７６は、散水面７４を平面視して第１の散水孔１０と同心状、かつ、互いに間隔を空けて円周状に配置されている。複数の散水孔１０は第１の散水孔であり、複数の散水孔７６は第２の散水孔である。実施形態２では、第１の散水孔１０の内側に第２の散水孔７６が配置される。このような構成によれば、散水孔１０、７６から吐水することで、二重のシャワーの膜を形成することができ、通常とは異なるシャワー吐水の形態を実現することができる。
【００３９】
図７に示すシャワー装置７０では、実施形態１で説明した第１の散水孔１０の傾斜角度の設定と同様の傾斜角度の設定が第２の散水孔７６についても行われている。具体的には、散水面７４を平面視したときに、第２の散水孔７６のそれぞれにおける上流端の開口中心と下流端の開口中心とを結ぶ中心線が延びる方向が、第２の散水孔７６のそれぞれにおける円周の法線方向に対する傾斜成分を含むように設計している。このような構成によれば、複数の散水孔１０だけでなく複数の散水孔７６からもらせん状の流れを生じさせることができ、更なる別のシャワー形態を実現することができる。
【００４０】
なお、本発明は前記実施形態に限定されるものではなく、その他種々の態様で実施できる。例えば、実施形態１では、散水孔１０をエッチングにより形成し、図４に示すような湾曲部２２、２４を有する散水孔１０を設ける場合について説明したが、このような場合に限らない。エッチング以外の任意の方法により散水孔を形成してもよく、例えば図８Ａ〜図８Ｄに示すような形状の散水孔を形成してもよい。
【００４１】
図８Ａに示す散水板３０では、散水孔３２を形成する散水板３０の内周面は、直線状に傾斜した直線部３４を有する。散水孔３２の下流開口３２Ａの開口中心と上流開口３２Ｂの開口中心を結ぶ直線である中心線３６は、鉛直方向に対して傾斜する方向に延びている。このような形状を有する散水孔３２は、例えば５軸マシニングによる加工、レーザ加工などにより形成することができる。
【００４２】
図８Ｂに示す散水板４０は、２枚の板部材４２、４４を重ね合わせて構成されている。板部材４２は開口４６を形成し、板部材４４は開口４８を形成している。開口４６と開口４８により、１つの散水孔４５を形成している。開口４６、４８は、散水板４０の面方向Ｇにオフセットして配置されている。開口４６の上流端の開口中心と開口４８の下流端の開口中心を結ぶ直線である中心線４９は、鉛直方向に対して傾斜する方向に延びている。このような形状を有する散水孔４５は、例えば板部材４２、４４のプレス接合などにより形成することができる。
【００４３】
図８Ｃに示す散水板５０では、散水孔５２を形成する散水板５０の内周面は、第１の直線部５４と、第２の直線部５６とを有する。第１の直線部５４は散水板５０の厚み方向Ｘに延びており、第２の直線部５６は散水板５０の厚み方向Ｘに対して傾斜する方向に延びている。散水孔５２の下流開口５２Ａの開口中心と上流開口５２Ｂの開口中心を結ぶ直線である中心線５８は、鉛直方向に対して傾斜する方向に延びている。このような形状を有する散水孔５２は、例えばポンチを用いたプレス加工などにより形成することができる。
【００４４】
図８Ｄに示す散水板６０では、散水孔６２を形成する散水板６０の内周面は、非対称な断面形状の直線部６４、６６を有する。直線部６４は散水板６０の厚み方向であるＹ方向に沿って延びており、直線部６６はＹ方向に対して傾斜する方向に延びている。散水孔６２における下流開口６２Ａの開口中心と上流開口６２Ｂの開口中心を結ぶ直線である中心線６８は、鉛直方向に対して傾斜する方向に延びている。このような形状を有する散水孔６２は、例えば樹脂成形などにより形成することができる。
【００４５】
図８Ａ〜図８Ｄに示す散水孔３２、４５、５２、６２においても、中心線３６、４９、５８、６８に関して、図３に示したような円周９の法線方向Ｐに対する傾斜成分Ｐ１を有するように設計することで、図５に示す水の流れと同様の流れを生じさせることができる。
【００４６】
また実施形態１では、図３に示すように各散水孔１０の中心線２０が上流側から下流側に延びる方向が、各散水孔１０における円周９の接線方向Ｑよりも円周９の中心１１から遠ざかる方向を向く場合について説明したが、このような場合に限らない。例えば、散水面５を平面視したときに、各散水孔１０の中心線２０が上流側から下流側に延びる方向が、各散水孔１０における円周９の接線方向Ｑよりも円周９の中心１１に近づく方向を向くようにしてもよい。この場合、複数の散水孔１０から内側に向かって窄まるようなシャワーの膜を形成することができる。あるいは、散水面５を平面視したときに、各散水孔１０の中心線２０が延びる方向が、各散水孔１０における円周９の接線方向Ｑに一致するようにしてもよい。この場合、円周９の接線方向Ｑを基準に散水孔１０の傾斜角度を設定することができ、設計が容易になる。
【００４７】
また、実施形態１では、図３に示す傾斜成分Ｐ１の角度、傾斜成分Ｑ１の角度、図４に示す角度αのいずれも、全ての散水孔１０において同じ値である場合について説明したが、このような場合に限らない。それぞれの角度を各散水孔１０において異なる値に設定してもよい。
【００４８】
また実施形態２では、複数の散水孔１０および複数の散水孔７６という２つの散水孔グループを設ける場合について説明したが、このような場合に限らず、更なる別の散水孔のグループを設けてもよい。すなわち、３重以上のシャワーの膜を形成してもよい。３重のシャワーの膜を形成する構成の例については、以下の実施形態３で説明する。
【００４９】
また実施形態１、２では、シャワー装置２が浴室の天井８に固定されたオーバーヘッド型のシャワー装置である場合について説明したが、このような場合に限らない。例えば、ユーザが手に持って使用するハンディ型のシャワー装置など、任意のシャワー装置であってもよい。
【００５０】
上記変形例は、以下の実施形態３にも同様に適用してもよい。
【００５１】
（実施形態３）
本発明に係る実施形態３の散水板およびそれを備えるシャワー装置について説明する。実施形態３では、主に実施形態１、２と異なる点について説明し、実施形態１、２と重複する記載は省略する。
【００５２】
実施形態１では、散水孔１０のグループを円周状に配置し、実施形態２では、散水孔１０のグループと散水孔７６のグループのそれぞれを円周状に配置していたが、実施形態３では、３つの散水孔のグループをそれぞれ円周状に配置している点が異なる。
【００５３】
図９は、実施形態３のシャワー装置８０の平面図である。図９に示すシャワー装置８０は散水板８４を備え、散水板８４の散水面８５には、３つのグループの貫通孔群８１、８２、８３が形成されている。「貫通孔」は「散水孔」と称してもよい。図９に示すシャワー装置８０は、例えば洗面所やキッチンなどで使用される水栓としてのシャワー装置である。なお、図９とは反対側の面から散水板８４を見たときに、図９と同じパターンおよび位置の貫通孔群が形成されている構成であってもよい。
【００５４】
第１貫通孔群８１は、最も外側の円周状に配置された複数の貫通孔で構成され、第２貫通孔群８２は、中央の円周状に配置された複数の貫通孔で構成され、第３貫通孔群８３は、最も内側の円周状に配置された複数の貫通孔で構成される。第２貫通孔群８２は第１貫通孔群８１の内側に配置され、第３貫通孔群８３は第２貫通孔群８２の内側に配置される。
【００５５】
実施形態３では、第１貫通孔群８１、第２貫通孔群８２および第３貫通孔群８３のそれぞれを構成する貫通孔の数は同数である。また図９に示すように、第１貫通孔群８１、第２貫通孔群８２および第３貫通孔群８３の各貫通孔は、散水面８５の径方向Ｈに沿って一列に並ぶように配置されている。
【００５６】
図９のＩ部の拡大図を図１０に示す。
【００５７】
図１０に示すように、第１貫通孔群８１を構成する第１貫通孔（第１の散水孔）８１Ｊは、円周９２上に配置されるとともに、下流端の開口である下流開口８６Ａと、上流端の開口である上流開口８６Ｂとを形成する。下流開口８６Ａは、散水面８５にて開口しており、上流開口８６Ｂは、散水面８５に対向する散水板８４の裏面９５（図１１Ａ〜図１１Ｃ）にて開口している。第１貫通孔８１Ｊを通過する水は、上流開口８６Ｂから下流開口８６Ａに向かって吐出方向８７に流れる。吐出方向８７は、上流開口８６Ｂの開口中心と下流開口８６Ａの開口中心とを結んだ中心線に略一致する。
【００５８】
同様に、第２貫通孔群８２を構成する第２貫通孔（第２の散水孔）８２Ｊは、円周９３上に配置されるとともに、下流端の開口である下流開口８８Ａと、上流端の開口である上流開口８８Ｂとを形成する。第２貫通孔８２Ｊを通過する水は、上流開口８８Ｂから下流開口８８Ａに向かって吐出方向８９に流れる。吐出方向８９は、上流開口８８Ｂの開口中心と下流開口８８Ａの開口中心とを結んだ中心線に略一致する。同様に、第３貫通孔群８３を構成する第３貫通孔（第３の散水孔）８３Ｊは、円周９４上に配置されるとともに、下流端の開口である下流開口９０Ａと、上流端の開口である上流開口９０Ｂとを形成する。第３貫通孔８３Ｊを通過する水は、上流開口９０Ｂから下流開口９０Ａに向かって吐出方向９１に流れる。吐出方向９１は、上流開口９０Ｂの開口中心と下流開口９０Ａの開口中心とを結んだ中心線に略一致する。
【００５９】
実施形態１、２と同様に、第１貫通孔８１Ｊ、第２貫通孔８２Ｊおよび第３貫通孔８３Ｊの吐出方向８７、８９、９１はいずれも、各円周９２、９３、９４の法線方向Ｕ１、Ｕ２、Ｕ３に対して傾斜成分α１、α２、α３を含む。これにより、第１貫通孔群８１、第２貫通孔群８２、第３貫通孔群８３のそれぞれから「らせん状」に水が吐水され、三重らせん状の吐水形態を実現することができる。
【００６０】
実施形態３では特に、第１貫通孔８１Ｊ、第２貫通孔８２Ｊおよび第３貫通孔８３Ｊの吐出方向８７、８９、９１はいずれも、各円周９２、９３、９４の接線方向に対して中心側を向いている。すなわち、第１貫通孔８１Ｊ、第２貫通孔８２Ｊおよび第３貫通孔８３Ｊのそれぞれから吐水される水は、散水板８５の中心に向かって吐出される。
【００６１】
さらに実施形態３では、法線方向Ｕ１、Ｕ２、Ｕ３に対する傾斜成分α１、α２、α３に関して、α１＞α２＞α３の関係となるように、各貫通孔８１Ｊ、８２Ｊ、８３Ｊの形状が設定されている。すなわち、法線方向Ｕ１に対する吐出方向８７の傾斜成分α１は、法線方向Ｕ２に対する吐出方向８９の傾斜成分α２よりも大きく、法線方向Ｕ２に対する吐出方向８９の傾斜成分α２は、法線方向Ｕ３に対する吐出方向９１の傾斜成分α３よりも大きい。
【００６２】
このような傾斜成分α１、α２、α３の設定によれば、貫通孔８１Ｊ、８２Ｊ、８３Ｊのうち、外側に位置する貫通孔ほど、円周沿いの回転方向に進む成分を大きく持ちながら、下方に向かって、散水板８４の中心側に水が落下する。第１貫通孔群８１、第２貫通孔群８２、第３貫通孔群８３のそれぞれから吐水された水は一旦中心側にて収束した後、中心から離れる方向へ発散する。このような三重らせん状の吐水形態を実現することができる。
【００６３】
次に、第１貫通孔８１Ｊ、第２貫通孔８２Ｊおよび第３貫通孔８３Ｊの縦断面図を図１１Ａ、図１１Ｂ、図１１Ｃに示す。図１１Ａは、図１０の第１貫通孔８１ＪのＫ−Ｋ矢視図であり、図１１Ｂは、第２貫通孔８２ＪのＬ−Ｌ矢視図であり、図１１Ｃは、第３貫通孔８３ＪのＭ−Ｍ矢視図である。
【００６４】
図１１Ａに示すように、第１貫通孔８１Ｊの水の吐出方向８７は、散水板８４の厚み方向Ｔに対する傾斜成分β１を有する。同様に、図１１Ｂに示すように、第２貫通孔８２Ｊの水の吐出方向８９は、厚み方向Ｔに対する傾斜成分β２を有し、図１１Ｃに示すように、第３貫通孔８３Ｊの水の吐出方向９１は、厚み方向Ｔに対する傾斜成分β３を有する。傾斜成分β１、β２、β３はいずれも、図１０に示したように、散水面８５の中心側に向かう成分である。
【００６５】
実施形態３では特に、厚み方向Ｔに対する傾斜成分β１、β２、β３に関して、β１＞β２＞β３の関係となるように、各貫通孔８１Ｊ、８２Ｊ、８３Ｊの形状が設定されている。すなわち、吐出方向８７の傾斜成分β１は、吐出方向８９の傾斜成分β２よりも大きく、吐出方向８９の傾斜成分β２は、吐出方向９１の傾斜成分β３よりも大きい。
【００６６】
このような傾斜成分β１、β２、β３の設定によれば、貫通孔８１Ｊ、８２Ｊ、８３Ｊのうち、外側に位置する貫通孔ほど、散水面８５に平行な方向に進む成分を大きく持ちながら、下方に向かって、散水板８４の中心側に水が落下する。第１貫通孔群８１、第２貫通孔群８２、第３貫通孔群８３のそれぞれから吐水された水はらせん状の流れを形成するところ、外側に位置する貫通孔ほど回転成分が強い状態で吐水され、散水板８４の中心側に向かって流れ、中心側で収束した後、外側に広がるように発散する。このような三重らせん状の吐水形態を実現することができる。
【００６７】
上述した貫通孔８１Ｊ、８２Ｊ、８３Ｊの構成によれば、図１２に示すような三重らせん状の流れを作りだすことができる。図１２に示すように、貫通孔群８１、８２、８３のうち、外側に位置する貫通孔群ほど、散水面８５に平行な方向である横向きに向かう成分が強くなる。第１貫通孔群８１から吐出される水は、第２貫通孔群８２から吐出される水よりも横向きに向かう成分が強く、第２貫通孔群８２から吐出される水は、第３貫通孔群８３から吐出される水よりも横向きに向かう成分が強い。貫通孔群８１、８２、８３から吐水される水はいずれも中心側に向かって落下するため、収束領域９６にて一旦収束した後、発散領域９８からは中心から離れる方向に発散する。発散領域９８で水が発散する際に、貫通孔群８１、８２、８３のうち、外側に位置する貫通孔群ほど中心から離れる方向に発散する。
【００６８】
このような吐水形態によれば、単なる審美性だけでなく、収束領域９６のように大きな接触面積で水が当たる部分と、発散領域９８のように小さな接触面積で水が当たる部分を、使用目的に応じて使い分けることが可能となる。例えば、手の指先や細かい汚れ等を洗うときは収束領域９６に対象物を置けば、水が集中している箇所で無駄なく洗うことができる。一方で、発散領域９８に対象物を置けば、掌や腕などの広い領域を速やかに洗い流すことができる。また、シャワー装置８０が広いシンクに設置される場合は、発散領域９８を利用することで広いシンクを効率的に流すことができる。
【００６９】
また、実施形態３のシャワー吐水形態で丸いバケツの中に吐水すると、バケツの中に渦を巻く流れを生じさせることができ、バケツの中でハンカチなどを効率的に洗うことができる。また、洗剤を添加する場合には洗剤の混ざりも良くすることができる。
【００７０】
また実施形態３のシャワー吐水形態によれば、三重のらせん状流れであるため、その周囲に風を生じさせることができる。例えば浴室のシャワー装置として利用する場合には、利用者が風を体感することができる。
【００７１】
一般的なストレート吐水とシャワー吐水が切替可能な水栓は、シャワー吐水のときに散水板の中心に対応する真ん中の空間には水が流れない。これに対して、図１２に示す実施形態３の吐水形態によれば、真ん中の空間にも水を流すことができ、通常とは異なる吐水形態を実現することができる。
【００７２】
上述したように、実施形態３の散水板８４は、散水面８５に複数の貫通孔群８１、８２、８３を形成した散水板である。散水板８４は、円周９２上に並んだ複数の貫通孔８１Ｊで構成される第１貫通孔群８１と、第１貫通孔群８１よりも内側に配置され、円周９３上に並んだ複数の貫通孔８２Ｊで構成される第２貫通孔群８２とを形成する。第１貫通孔群８１および第２貫通孔群８２において、貫通孔８１Ｊ、８２Ｊを通過した水の吐出方向８７、８９は、散水面８５を平面視したときに、貫通孔８１Ｊ、８２Ｊにおける円周９２、９３の法線方向Ｕ１、Ｕ２に対する傾斜成分α１、α２を含む。
【００７３】
このような構成によれば、二重又はそれ以上のらせん状のシャワー膜を形成することができ、実施形態２の散水板７２およびシャワー装置７０と同様の効果を奏することができる。
【００７４】
また、実施形態３の散水板８４によれば、第１貫通孔群８１および第２貫通孔群８２において、水の吐出方向８７、８９は、散水面８５を平面視したときに、円周９２、９３の接線方向よりも円周９２、９３の中心側に傾斜している。また、法線方向Ｕ１、Ｕ２に対する傾斜成分α１、α２は、第１貫通孔群８１の傾斜成分α１の方が第２貫通孔群８２の傾斜成分α２よりも大きい。
【００７５】
このような構成によれば、外側に位置する第１貫通孔８１Ｊの方が、内側に位置する第２貫通孔８２Ｊよりも、円周９２、９３に沿った周方向の回転成分を大きく持った状態で、散水板８４の中心側に向かって水が吐出され、その後、中心から離れる方向に発散する。このような二重又はそれ以上のらせん流れのシャワー膜を形成することができ、通常とは異なる吐水形態を実現することができる。
【００７６】
また、実施形態３の散水板８４によれば、第１貫通孔群８１および第２貫通孔群８２において、吐出方向８７、８９が散水板８４の厚み方向Ｔに対して傾斜する傾斜成分β１、β２は、第１貫通孔群８１の傾斜成分β１の方が第２貫通孔群８２の傾斜成分β２よりも大きい。
【００７７】
このような構成によれば、外側に位置する第１貫通孔８１Ｊの方が内側に位置する第２貫通孔８２Ｊよりも、散水面８５に平行な方向の回転成分を大きく持った状態で、散水板８４の中心側に向かって水が吐出され、その後、中心から離れる方向に発散する。このような二重又はそれ以上のらせん流れのシャワー膜を形成することができ、通常とは異なる吐水形態を実現することができる。
【００７８】
上述したように、実施形態３のシャワー装置８０によれば、第１の散水孔としての第１貫通孔８１Ｊは、第２の散水孔としての第２貫通孔８２Ｊの外側に位置する。また、散水面８５を平面視したときに、第１貫通孔８１Ｊおよび第２貫通孔８２Ｊにおける中心線としての吐出方向８７、８９が上流側から下流側に延びる方向は、各貫通孔８１Ｊ、８２Ｊにおける円周９２、９３の接線方向よりも円周９２、９３の中心に近づく方向を向く。また、第１貫通孔８１Ｊの吐出方向８７が有する法線方向Ｕ１に対する傾斜成分α１は、第２貫通孔８２Ｊの吐出方向８９が有する法線方向Ｕ２に対する傾斜成分α２よりも大きい。
【００７９】
このような構成によれば、外側に位置する第１貫通孔８１Ｊの方が内側に位置する第２貫通孔８２Ｊよりも、円周９２、９３に沿った周方向の回転成分を大きく持った状態で、散水板８４の中心側に向かって水が吐出され、その後、中心から離れる方向に発散する。このような二重又はそれ以上のらせん流れのシャワー膜を形成することができ、通常とは異なる吐水形態を実現することができる。
【００８０】
また、実施形態３のシャワー装置８０によれば、第１貫通孔８１Ｊの吐出方向８７と散水板８４の厚み方向Ｔとが成す傾斜成分β１は、第２貫通孔８２Ｊの吐出方向８９と散水板８４の厚み方向Ｔとが成す傾斜成分β２よりも大きい。
【００８１】
このような構成によれば、外側に位置する第１貫通孔８１Ｊの方が内側に位置する第２貫通孔８２Ｊよりも、散水面８５に平行な方向の回転成分を大きく持った状態で、散水板８４の中心側に向かって水が吐出され、その後、中心から離れる方向に発散する。このような二重又はそれ以上のらせん流れのシャワー膜を形成することができ、通常とは異なる吐水形態を実現することができる。
【００８２】
なお実施形態３では、貫通孔群８１、８２、８３という３つの貫通孔群のグループを設ける場合について説明したが、このような場合に限らず、貫通孔群のグループの数は２つまたは４つ以上であってもよい。
【００８３】
なお、上記様々な形態を適宜組み合わせることにより、それぞれの有する効果を奏するようにすることができる。
【００８４】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【００８５】
本発明は、浴室のオーバーヘッド型シャワー装置、およびキッチンや洗面所に使用される水栓としてのシャワー装置、並びにそれらが備える散水板等に有用である。
【符号の説明】
【００８６】
２  シャワー装置
４  散水板
５  散水面
８  天井
９  円周
１０  散水孔
１１  中心
１２  下流開口
１４  上流開口
１６  開口中心
１８  開口中心
２０  中心線
２１  裏面
２２  第１の湾曲部
２３  鉛直方向
２４  第２の湾曲部
３０  散水板
３２  散水孔
３２Ａ  下流開口
３２Ｂ  上流開口
３４  直線部
３６  中心線
４０  散水板
４２、４４  板部材
４６、４８  開口
４９  中心線
５０  散水板
５２  散水孔
５２Ａ  下流開口
５２Ｂ  上流開口
５４  第１の直線部
５６  第２の直線部
５８  中心線
６０  散水板
６２  散水孔
６２Ａ  下流開口
６２Ｂ  上流開口
６４、６６  直線部
６８  中心線
７０  シャワー装置
７２  散水板
７４  散水面
７６  散水孔
８０  シャワー装置
８１  第１貫通孔群
８１Ｊ  第１貫通孔（第１の散水孔）
８２  第２貫通孔群
８２Ｊ  第２貫通孔（第２の散水孔）
８３  第３貫通孔群
８３Ｊ  第３貫通孔（第３の散水孔）
８４  散水板
８５  散水面
８６Ａ  下流開口
８６Ｂ  上流開口
８７  吐出方向（中心線）
８８Ａ  下流開口
８８Ｂ  上流開口
８９  吐出方向（中心線）
９０Ａ  下流開口
９０Ｂ  上流開口
９１  吐出方向（中心線）
９２、９３、９４  円周
９６  収束領域
９８  発散領域
１００  散水板
１０２  散水面
１０４  散水孔
１０５  中心
１０６  下流開口
１０７  円周
１０８  上流開口
１０９  開口中心
１１０  中心線
１１１  開口中心
Ｆ、Ｇ  面方向
Ｔ、Ｘ  厚み方向
Ｐ  法線方向
Ｐ１  法線方向に対する傾斜成分
Ｑ  接線方向
Ｑ１  接線方向に対する傾斜成分
Ｒ  周方向
Ｒ１  一方側の周方向
Ｒ２  他方側の周方向
Ｕ１、Ｕ２、Ｕ３  法線方向
α１、α２、α３  法線方向に対する傾斜成分
β１、β２、β３  厚み方向に対する傾斜成分
【図１】
2020158669.tif 000003
【図２】
2020158669.tif 000004
【図３】
2020158669.tif 000005
【図４】
2020158669.tif 000006
【図５】
2020158669.tif 000007
【図６】
2020158669.tif 000008
【図７】
2020158669.tif 000009
【図８Ａ】
2020158669.tif 000010
【図８Ｂ】
2020158669.tif 000011
【図８Ｃ】
2020158669.tif 000012
【図８Ｄ】
2020158669.tif 000013
【図９】
2020158669.tif 000014
【図１０】
2020158669.tif 000015
【図１１Ａ】
2020158669.tif 000016
【図１１Ｂ】
2020158669.tif 000017
【図１１Ｃ】
2020158669.tif 000018
【図１２】
2020158669.tif 000019
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
散水板を備えるシャワー装置であって、
前記散水板の散水面には、前記散水板を厚み方向に貫通する複数の散水孔が、互いに間隔を空けて円周状に配置されており、
前記複数の散水孔のそれぞれにおける上流端の開口中心と下流端の開口中心とを結ぶ中心線が延びる方向は、前記散水面を平面視したときに、各散水孔における前記円周の法線方向に対する傾斜成分を含む、シャワー装置。
【請求項２】
各散水孔の前記中心線が有する前記傾斜成分は、各散水孔における前記円周の前記法線方向に対して同じ周方向に向かう成分である、請求項１に記載のシャワー装置。
【請求項３】
前記散水面を平面視したときに、各散水孔の前記中心線が延びる方向は、各散水孔における前記円周の接線方向に一致する、請求項１又は２に記載のシャワー装置。
【請求項４】
前記散水面を平面視したときに、各散水孔の前記中心線が上流側から下流側に延びる方向は、各散水孔における前記円周の接線方向よりも前記円周の中心から遠ざかる方向を向く、請求項１又は２に記載のシャワー装置。
【請求項５】
前記散水面を平面視したときに、各散水孔の前記中心線が上流側から下流側に延びる方向は、各散水孔における前記円周の接線方向よりも前記円周の中心に近づく方向を向く、請求項１又は２に記載のシャワー装置。
【請求項６】
前記散水面を平面視したときに、各散水孔における前記中心線と前記円周の前記法線方向とが成す角度は５度以上１７５度以下である、請求項１から５のいずれか１つに記載のシャワー装置。
【請求項７】
各散水孔の前記中心線と前記散水板の前記厚み方向とが成す角度は５度以上４５度以下である、請求項１から６のいずれか１つに記載のシャワー装置。
【請求項８】
前記散水面を平面視したときに、前記複数の散水孔のうち隣り合う２つの散水孔における前記中心線同士が成す角度は０．１５度以上１７５度以下である、請求項１から７のいずれか１つに記載のシャワー装置。
【請求項９】
前記複数の散水孔は、複数の第１の散水孔であり、
前記散水面を平面視して前記第１の散水孔と同心状、かつ、円周状に互いに間隔を空けて配置された複数の第２の散水孔を前記散水板にさらに設けた、請求項１から８のいずれか１つに記載のシャワー装置。
【請求項１０】
前記散水面を平面視したときに、前記第２の散水孔のそれぞれにおける上流端の開口中心と下流端の開口中心とを結ぶ中心線が延びる方向は、前記第２の散水孔のそれぞれにおける前記円周の法線方向に対する傾斜成分を含む、請求項９に記載のシャワー装置。
【請求項１１】
前記第１の散水孔は前記第２の散水孔の外側に位置し、
前記散水面を平面視したときに、前記第１の散水孔および前記第２の散水孔における前記中心線が上流側から下流側に延びる方向は、各散水孔における前記円周の接線方向よりも前記円周の中心に近づく方向を向いており、
前記第１の散水孔の前記中心線が有する前記法線方向に対する前記傾斜成分は、前記第２の散水孔の前記中心線が有する前記法線方向に対する前記傾斜成分よりも大きい、請求項１０に記載のシャワー装置。
【請求項１２】
前記第１の散水孔の前記中心線と前記散水板の前記厚み方向とが成す角度は、前記第２の散水孔の前記中心線と前記散水板の前記厚み方向とが成す角度よりも大きい、請求項１１に記載のシャワー装置。
【請求項１３】
散水面に複数の貫通孔群を形成した散水板であって、
円周状に並んだ複数の貫通孔で構成される第１貫通孔群と、
前記第１貫通孔群よりも内側に配置され、円周状に並んだ複数の貫通孔で構成される第２貫通孔群と、を形成し、
前記第１貫通孔群および前記第２貫通孔群において、貫通孔を通過した水の吐出方向は、前記散水面を平面視したときに、前記貫通孔における前記円周の法線方向に対する傾斜成分を含む、散水板。
【請求項１４】
前記第１貫通孔群および前記第２貫通孔群において、前記吐出方向は、前記散水面を平面視したときに、前記円周の接線方向よりも前記円周の中心側に傾斜しており、前記法線方向に対する傾斜成分は、前記第１貫通孔群の方が前記第２貫通孔群よりも大きい、請求項１３に記載の散水板。
【請求項１５】
前記第１貫通孔群および前記第２貫通孔群において、前記吐出方向が前記散水板の厚み方向に対して傾斜する傾斜成分は、前記第１貫通孔群の方が前記第２貫通孔群よりも大きい、請求項１４に記載の散水板。
【請求項１６】
散水面に複数の貫通孔群を形成した散水板を備えるシャワー装置であって、
前記散水板には、円周状に並んだ複数の貫通孔で構成される第１貫通孔群と、前記第１貫通孔群よりも内側に配置され、円周状に並んだ複数の貫通孔で構成される第２貫通孔群と、を形成し、
前記第１貫通孔群及び前記第２貫通群から吐水される水は、
いずれも中心側に向かって落下し、
収束領域にて一旦収束した後、発散領域からは中心から離れる方向に発散し、発散領域で水が発散する際に、前記貫通孔群のうち、外側に位置する貫通孔群ほど中心から離れる方向に発散する、シャワー装置。
【国際調査報告】
2020158669.tif 000020
2020158669.tif 000021
2020158669.tif 000022
2020158669.tif 000023
2020158669.tif 000024